(57)【特許請求の範囲】
【請求項１】
所定面積を覆うように設けられる屋根部と、前記屋根部の幅方向両縁部下方にそれぞれ配置されて前記屋根部を所定高さ位置に支持する脚部とを備えており、
前記屋根部は、前記両縁部に亘って延びる下部フレームと、該下部フレームの上方に一体に設けられて上面に屋根幕が張設される上部フレームとを有し、
前記脚部は、脚部本体と、前記脚部本体の上部に設けられて前記下部フレームに対して連結される連結部材と、前記脚部本体の下部に設けられたキャスタ部とを有し、
前記連結部材は、前記脚部本体の長さ方向に延びる基部と、該基部の上端から左右に分岐して前記下部フレームの長さ方向に沿って取り付けられる取付部とからなり、
前記取付部は、前記屋根部の幅方向中心に向けて延びて前記脚部の折り畳み時に回動支点となる第一取付部と、前記屋根部の幅方向端部に向けて延びて前記脚部の折り畳み時に前記脚部から脱離する第二取付部とからなり、
前記第二取付部の前記下部フレームに対する着脱を切換可能であって、前記第二取付部から離れた下方位置において操作可能である、ロック切換手段を有し、
前記ロック切換手段は、前記連結部材に設けられた穴に対して挿脱されるロック部材と、前記ロック部材を前記穴への挿入方向に付勢する付勢手段と、前記ロック部材に一端が固定されて前記ロック部材を前記付勢手段の付勢力に抗して前記穴からの抜脱方向に牽引するための線材と、前記線材に前記牽引力を付与するためのラチェット機構とからなり、
前記ラチェット機構は、前記線材の他端が固定されて該線材を介して伝達される前記付勢力により正方向への回転力が加えられる爪車と、前記爪車を逆方向に回転する力を加えるためのハンドルと、前記爪車の正方向への回転を阻止するが逆方向への回転は許容する爪部材とからなる、
ことを特徴とする折り畳み式移動倉庫。
【請求項２】
前記キャスタ部は、前記脚部本体の下端部に取り付けられた第一キャスタ部と、前記脚部本体の外側面に取り付けられた第二キャスタ部とからなり、
前記第一キャスタ部は、前記脚部本体の長さ方向に延びる軸回りに回転可能であり、
前記第二キャスタ部及び前記第二取付部は、前記脚部を、前記第一取付部を支点として回動させて折り畳んだ時に接地する、
ことを特徴とする請求項１記載の折り畳み式移動倉庫。
【請求項３】
前記脚部は、前記屋根部の幅方向両端部において、前記屋根部の前後方向に所定間隔をあけて複数本が配置されており、
前端に配置された前記脚部の下端部と、後端に配置された前記脚部の下端部には、互いに噛み合う連結部材がそれぞれ設けられている、
ことを特徴とする請求項１又は２に記載の折り畳み式移動倉庫。
【発明の詳細な説明】
【技術分野】
【０００１】
本発明は、脚部を折り畳むことが可能であって且つ容易に移動させることができる折り畳み式移動倉庫に関する。
【背景技術】
【０００２】
地震や洪水等の災害を受けた被災地においては、食品や衣料等の大量の救援物資を一時的に保管するための仮設倉庫が必要とされる。
従来、このような仮設倉庫としては、組立や撤去を容易に且つ短期間で行うことが可能なテント式のものが広く使用されている。
【０００３】
従来のテント式の仮設倉庫は、地面に多数本の脚部材を立設固定した後、脚部材の上部に屋根部材を組んで、更に屋根部材の上にテント布を張設することにより、組み立てられるものが一般的である。
しかしながら、このような構造の仮設倉庫は、大型トラックが出入りできるような大型のものの場合には、組み立てるために約４〜８時間もの時間を要し、撤去時においても同程度の長時間を要していた。そのため、より短時間で組立や撤去を行うことができる倉庫の創出が望まれていた。
【０００４】
一方、被災地等における仮設倉庫として用いられるものではないが、下記特許文献１には、折り畳みが可能な道路舗装工事の際に用いられる屋根構造が開示されている。この屋根構造は、比較的容易に脚を折り畳むことができる点で上記従来技術に比して優れたものである。
【０００５】
しかしながら、この屋根構造は、折り畳み式の脚を立てた状態で固定するために、方杖（中間フレーム）を用いて固定しているため、有効に使用できる内部空間が狭くなるという問題があった。具体的には、方杖がある両端部分では内部空間の高さがかなり低くなるため、ガルウイング式のトラック等の大型車両を入れることができないおそれがあった。
また、脚の下端部に取り付けられたキャスタ（第１キャスタ）が前後方向を向いているため（特許文献１の図１の符号３２４参照）、脚を折り畳む際に第１キャスタが折り畳み動作に追従して転動することができず、折り畳み動作を円滑に行うことができないおそれがある。
また、脚を折り畳んだ状態（特許文献１の図２参照）では、キャスタ（第２キャスタ）のみが接地するため、安定した状態での保管や運搬ができないおそれがあった。
また、脚を立てた状態で固体する作業や脚を折り畳む作業は、高位置でピン等の着脱を行う必要があるため、作業者が梯子に上って行わなければならず、作業性が非常に悪く、危険性もあった。
更に、複数の屋根構造を前後方向に連結した場合、全ての脚の折り畳みを連動させることが困難であるため、脚の折り畳み作業を迅速に行うことができず、バランスを崩して倒れるおそれもあった。
【先行技術文献】
【特許文献】
【０００６】
【特許文献１】特許第４９６２８９０号公報
【発明の概要】
【発明が解決しようとする課題】
【０００７】
本発明は、上記したような従来技術の問題点を解決すべくなされたものであって、広い内部空間を確保することができるとともに、脚の折り畳みや脚を立てる作業を円滑に且つ安全に行うことができ、脚を折り畳んだ状態での安定性に優れ、組立や撤去を容易に且つ短期間で行うことが可能である折り畳み式移動倉庫を提供するものである。
【課題を解決するための手段】
【０００８】
請求項１に係る発明は、所定面積を覆うように設けられる屋根部と、前記屋根部の幅方向両縁部下方にそれぞれ配置されて前記屋根部を所定高さ位置に支持する脚部とを備えており、前記屋根部は、前記両縁部に亘って延びる下部フレームと、該下部フレームの上方に一体に設けられて上面に屋根幕が張設される上部フレームとを有し、前記脚部は、脚部本体と、前記脚部本体の上部に設けられて前記下部フレームに対して連結される連結部材と、前記脚部本体の下部に設けられたキャスタ部とを有し、前記連結部材は、前記脚部本体の長さ方向に延びる基部と、該基部の上端から左右に分岐して前記下部フレームの長さ方向に沿って取り付けられる取付部とからなり、前記取付部は、前記屋根部の幅方向中心に向けて延びて前記脚部の折り畳み時に回動支点となる第一取付部と、前記屋根部の幅方向端部に向けて延びて前記脚部の折り畳み時に前記脚部から脱離する第二取付部とからなり、前記第二取付部の前記下部フレームに対する着脱を切換可能であって、前記第二取付部から離れた下方位置において操作可能である、ロック切換手段を有し、前記ロック切換手段は、前記連結部材に設けられた穴に対して挿脱されるロック部材と、前記ロック部材を前記穴への挿入方向に付勢する付勢手段と、前記ロック部材に一端が固定されて前記ロック部材を前記付勢手段の付勢力に抗して前記穴からの抜脱方向に牽引するための線材と、前記線材に前記牽引力を付与するためのラチェット機構とからなり、前記ラチェット機構は、前記線材の他端が固定されて該線材を介して伝達される前記付勢力により正方向への回転力が加えられる爪車と、前記爪車を逆方向に回転する力を加えるためのハンドルと、前記爪車の正方向への回転を阻止するが逆方向への回転は許容する爪部材とからなる、ことを特徴とする折り畳み式移動倉庫に関する。
【０００９】
請求項２に係る発明は、前記キャスタ部は、前記脚部本体の下端部に取り付けられた第一キャスタ部と、前記脚部本体の外側面に取り付けられた第二キャスタ部とからなり、前記第一キャスタ部は、前記脚部本体の長さ方向に延びる軸回りに回転可能であり、前記第二キャスタ部及び前記第二取付部は、前記脚部を、前記第一取付部を支点として回動させて折り畳んだ時に接地する、ことを特徴とする請求項１記載の折り畳み式移動倉庫に関する。
【００１２】
請求項３に係る発明は、前記脚部は、前記屋根部の幅方向両端部において、前記屋根部の前後方向に所定間隔をあけて複数本が配置されており、前端に配置された前記脚部の下端部と、後端に配置された前記脚部の下端部には、互いに噛み合う連結部材がそれぞれ設けられている、ことを特徴とする請求項１又は２に記載の折り畳み式移動倉庫に関する。
【発明の効果】
【００１３】
請求項１に係る発明によれば、連結部材の第二取付部を下部フレームに対して外した状態として第一取付部を支点として回動させることにより、脚部を容易に内方に折り畳むことができる。また、連結部材の第一取付部と第二取付部を下部フレームに対して固定することにより、脚部を立てた状態で安定した支持が可能となるため、方杖が不要となり、有効に使用できる内部空間を広く確保することができる。そのため、トラック等の大型車両が容易に入れるようになり、荷物の積み下ろしの作業性を向上させることが可能となる。
【００１４】
請求項２に係る発明によれば、脚部本体の下端部に取り付けられた第一キャスタ部が、脚部本体の長さ方向に延びる軸回りに回転可能であるため、脚を折り畳む際に第一キャスタがこれに追従して転動することができ、折り畳み動作を円滑に行うことが可能となる。また、脚部本体の外側面に取り付けられた第二キャスタ部と、連結部材の外方分岐部が、脚部を第一取付部を支点として回動させて折り畳んだ時に共に接地することから、安定した状態での保管や運搬が可能となる。
【００１５】
請求項１に係る発明によれば、第二取付部から離れた下方位置に、第二取付部の下部フレームに対する着脱を切換可能なロック切換手段を有していることから、脚部を折り畳む時や立てる時に、高位置でピン等の着脱を行う必要がなく、作業性が非常に優れており、しかも作業を安全に行うことができる。
【００１６】
請求項１に係る発明によれば、作業者がハンドルを操作して爪車を逆方向に回転して線材に牽引力を付与することにより、ロック部材を下部フレームに設けられた穴から抜脱することができ、これにより脚部を折り畳むことが可能となるため、脚部の折り畳み作業を安全かつ容易に行うことができる。また、ロック部材は穴への挿入方向に付勢されているため、作業者がハンドルを操作しない限り、脚部を折り畳むことができない。そのため、作業者が意図しない状態で脚部が折り畳まれることがなく安全である。
【００１７】
請求項３に係る発明によれば、脚部は、屋根部の幅方向両端部において、屋根部の前後方向に所定間隔をあけて複数本が配置されており、前端に配置された脚部の下端部と、後端に配置された脚部の下端部には互いに噛み合う連結部材がそれぞれ設けられていることから、複数の移動倉庫を前後方向に連結した場合において、全ての脚の折り畳みを連動させることができる。そのため、脚部の折り畳み作業を迅速に行うことができて作業性に優れ、バランスを崩して倒れるおそれもなく安全である。
【図面の簡単な説明】
【００１８】
【図１】本発明に係る移動倉庫の正面図である。
【図２】本発明に係る移動倉庫の側面図である。
【図３】本発明に係る移動倉庫の平面図である。
【図４】連結部材を示す図であって、（ａ）は正面図、（ｂ）は右側面図である。
【図５】保持プレートを示す図であって、（ａ）は正面図、（ｂ）は右側面図である。
【図６】図２の破線四角で囲った部分（Ａ）の拡大図である。
【図７】図３の破線四角で囲った部分（Ｂ）の拡大図である。
【図８】脚部の脚部本体を示す図であって、（ａ）は側面図、（ｂ）は（ａ）図の破線四角で囲った部分の拡大図、（ｃ）は（ｂ）図のＡ部断面図、（ｄ）は（ｂ）図のＢ部断面図である。
【図９】キャスタ取付部材を示す図であって、（ａ）は正面図、（ｂ）は右側面図、（ｃ）は底面図である。
【図１０】第一キャスタ部を示す正面図である。
【図１１】キャスタ取付板を示す図であって、（ａ）は正面図、（ｂ）は右側面図である。
【図１２】左右の脚部が完全に折り畳まれた状態を示す図である。
【図１３】屋根部の形状をドーム型とした変更例である。
【図１４】屋根部の形状を片流れ型とした変更例である。
【図１５】ロック切換手段の全体構成を示す斜視図である。
【図１６】（ａ）は図１５の上部楕円内の拡大正面図（一部断面図）と拡大側面図、（ｂ）は図１５の下部楕円内の拡大正面図である。
【図１７】連結部材の構成を示す図であって、（ａ）は連結部材をキャスタ取付部材に取り付けた状態の斜視図、（ｂ）は連結部材をキャスタ取付部材に取り付けた状態の平面図、（ｃ）は連結部材をキャスタ取付部材に取り付けた状態の側面図である。
【発明を実施するための形態】
【００１９】
以下、本発明に係る折り畳み式移動倉庫（以下、単に移動倉庫と称する場合がある）の好適な実施形態について、適宜図面を参照しながら説明する。
図１は本発明に係る移動倉庫の正面図であり、図２は本発明に係る移動倉庫の側面図であり、図３は本発明に係る移動倉庫の平面図である。図２の破線四角で囲った部分（Ａ）の拡大図を図６に示し、図３の破線四角で囲った部分（Ｂ）の拡大図（下フレーム部分）を図７に示している。
本発明に係る移動倉庫は、前後方向に所定間隔をあけて並んで配置された複数（図示例では９つ）の単位構造体（１）と、隣り合う単位構造体（１）を連結する連結体（２）とから構成されている。
尚、本発明において、図１の紙面垂直方向（図２の左右方向）を前後方向と称し、図１の左右方向（図２の紙面垂直方向）を幅方向と称し、当該幅方向の中心に向かう方向を内方向と称し、その反対方向（幅方向の端部に向かう方向）を外方向と称する。
【００２０】
単位構造体（１）は、上方に設けられたトラス状の屋根部構造体（３）と、屋根部構造体（３）を下方から所定高さ位置に支持する脚部（４）とからなる。
複数の単位構造体（１）の屋根部構造体（３）が前後方向に並んで配置され、その上部を覆うように屋根幕（Ｍ）が張設されることにより、所定面積を覆う屋根部（５）が構成される。
また、複数の単位構造体（１）の屋根部構造体（３）が前後方向に並んで配置されていることにより、脚部（４）は屋根部（５）の幅方向両端部において該屋根部の前後方向に所定間隔をあけて複数本が並んで配置されている。
【００２１】
屋根部（５）は、その幅方向両縁部に亘って延びる下部フレーム（５１）と、下部フレーム（５１）の上方に一体に設けられて上面に屋根幕（Ｍ）が張設される上部フレーム（５２）と、下部フレーム（５１）と上部フレーム（５２）とを繋ぐ連結フレーム（５３）とから構成されている。これらのフレーム（５１）（５２）（５３）は、必要な強度の観点から鋼等の金属材料から形成されている。
下部フレーム（５１）は、移動倉庫が設置される地面（Ｇ）に対して平行に延設された直線状のフレームであり、その左右両端部付近にはそれぞれ脚部（２）が取り付けられている。また、下部フレーム（５１）の長さ方向中心を挟んだ２箇所に、フォークリフトのフォークを挿入可能な開口部（５１１）が設けられている。これらの開口部（５１１）は、脚部（４）の折り畳んだ時に、全ての単位構造体（１）の開口部（５１１）を貫くように棒を通してバンドで棒と脚部（４）を結束することにより、脚部（４）を折り畳んだ状態で保持する為にも使用される。
【００２２】
連結体（２）は格子状に形成されており、前後方向（図２の左右方向）に折り畳むことが可能である。連結体（２）を折り畳むことによって、隣り合う単位構造体（１）同士が接近し、移動倉庫の長さ（奥行き）を短縮することができる。
【００２３】
脚部（４）は、立設時（非折り畳み時）において上下方向に直線状に延びる脚部本体（４１）と、脚部本体（４１）の上部に設けられて下部フレーム（５１）に対して連結される連結部材（４２）と、脚部本体（４１）の下部に設けられたキャスタ部（４３）とを有している。
【００２４】
図４は連結部材（４２）を示す図であって、（ａ）は正面図、（ｂ）は右側面図である。
連結部材（４２）は、脚部本体（４１）の長さ方向に延びる基部（４２１）と、基部（４２１）の上端から左右に分岐して下部フレーム（５１）の長さ方向に沿って取り付けられる取付部（４２２）とからなる略Ｔ字状の部材（図４（ａ）参照）である。取付部（４２２）の左右の端部近傍には、それぞれ貫通穴（４２ａ）（４２ｂ）が形成されている。
【００２５】
取付部（４２２）は、第一取付部（４２２ａ）と第二取付部（４２２ｂ）とからなる。
第一取付部（４２２ａ）は、屋根部（５）の幅方向中心に向けて（内方向に向けて）延びる内方分岐部であって、下部フレーム（５１）に対して回動可能に取り付けられている。第一取付部（４２２ａ）の先端（４２２ｃ）は円弧状に形成されている。この第一取付部（４２２ａ）は、脚部（４）の折り畳み時において回動支点となる。
第二取付部（４２２ｂ）は、屋根部（５）の幅方向端部に向けて（外方向に向けて）延びる外方分岐部であって、下部フレーム（５１）に対して着脱可能且つ回動不能に取り付けられている。この第二取付部（４２２ｂ）は、脚部（４）の折り畳み時において脚部（４）から脱離する。
これら第一取付部（４２２ａ）及び第二取付部（４２２ｂ）の取り付け方については、後ほど詳述する。
【００２６】
ここで、連結部材（４２）が右の脚部（４）を構成する部材である場合、第一取付部（４２２ａ）は基部（４２１）の上端から左に分岐した部分であり、第二取付部（４２２ｂ）は基部（４２１）の上端から右に分岐した部分である（図４参照）。
一方、連結部材（４２）が左の脚部（４）を構成する部材である場合、第一取付部（４２２ａ）は基部（４２１）の上端から右に分岐した部分であり、第二取付部（４２２ｂ）は基部（４２１）の上端から左に分岐した部分である。
つまり、上述した通り、屋根部（５）の内方向（幅方向中心側）に向けて延びる部分が第一取付部（４２２ａ）であり、屋根部（５）の外方向（幅方向端部側）に向けて延びる部分が第二取付部（４２２ｂ）である。
第一取付部（４２２ａ）及び第二取付部（４２２ｂ）には、それぞれ貫通穴（４２ａ）（４２ｂ）が形成されている。
【００２７】
下部フレーム（５１）の左右両端部付近には、連結部材（４２）を介して脚部本体（４１）を取り付けるための保持プレート（６）が取り付けられている。
図５は、保持プレート（６）を示す図であって、（ａ）は正面図、（ｂ）は右側面図である。図６は、図２の破線四角で囲った部分（Ａ）の拡大図である。
保持プレート（６）は、略長方形状の平板状部（６１）と、平板状部（６１）の下端全幅を斜め方向に折り曲げた折り曲げ部（６２）とを有している。平板状部（６１）の左右の端部近傍には、それぞれ貫通穴（６１ａ）（６１ｂ）が形成されている。
【００２８】
保持プレート（６）は、２枚を一組として、平板状部（６１）同士が平行となり且つ折り曲げ部（６２）が互いに反対向き（離間する向き）となるように、下部フレーム（５１）に対して溶接等の固定手段により固定されている。
また、平板状部（６１）同士の間に連結部材（４２）の取付部（４２２）が挟まれた状態で、ボルト（Ｂ１、Ｂ２）が、貫通穴（４２ａ）及び貫通穴（６１ａ）と、貫通穴（４２ｂ）及び貫通穴（６１ｂ）に挿通され、ナット（Ｎ）が螺着されている。これにより、連結部材（４２）は、保持プレート（６）を介して下部フレーム（５１）に対して連結されている（図６参照）。
【００２９】
第一取付部（４２２ａ）の貫通穴（４２ａ）に挿通されたボルト（Ｂ１）は、常に挿通された状態にあり、取り外されることがない。そのため、この貫通穴（４２ａ）に挿通されたボルト（Ｂ１）は、第一取付部（４２２ａ）を下部フレーム（５１）に対して回動させる時（脚部（４）を内方に折り畳む時）の回動支点となる。
第二取付部（４２２ｂ）の貫通穴（４２ｂ）に挿通されたボルト（Ｂ２）は、必要に応じて挿脱可能となっており、脚部（４）を折り畳む際には取り外される。この貫通穴（４２ｂ）に挿通されたボルト（Ｂ２）が挿脱可能であることにより、第二取付部（４２２ｂ）は下部フレーム（５１）に対して着脱可能となっている。つまり、ボルト（Ｂ）の挿入時には、第二取付部（４２２ｂ）は下部フレーム（５１）に対して着状態（連結状態）となり、ボルト（Ｂ２）の抜脱時には、第二取付部（４２２ｂ）は下部フレーム（５１）に対して脱状態（非連結状態）となる。
【００３０】
連結部材（４２）の基部（４２１）には、その長さ方向に沿って所定間隔で複数個の貫通穴（４２ｃ）が形成されている。これらの貫通穴（４２ｃ）は、連結部材（４２）に対して脚部本体（４１）をボルト固定するために使用される穴である。
【００３１】
図８は脚部（４）の脚部本体（４１）を示す図であって、（ａ）は側面図、（ｂ）は（ａ）図の破線四角で囲った部分の拡大図、（ｃ）は（ｂ）図のＡ部断面図、（ｄ）は（ｂ）図のＢ部断面図である。
脚部本体（４１）はＣ型鋼からなり、上部には長さ方向に沿って所定間隔で複数個の貫通穴（４１ａ）が形成されている。これらの貫通穴（４１ａ）を、連結部材（４２）の基部（４２１）に形成された貫通穴（４２ｃ）と重ねて、ボルトを挿通してナットを螺合することにより、連結部材（４２）に対して脚部本体（４１）が固定される。
脚部本体（４１）は、下部にも長さ方向に沿って所定間隔で複数個の貫通穴（４１ｂ）が形成されている。これらの貫通穴（４１ｂ）は、後述するキャスタ取付部材（７）をボルト固定するために使用される穴である。
【００３２】
キャスタ部（４３）は、脚部本体（４１）の下端部に取り付けられた第一キャスタ部（４３１）と、脚部本体（４１）の外側面に取り付けられた第二キャスタ部（４３２）とからなる。
第一キャスタ部（４３１）は、キャスタ取付部材（７）を介して脚部本体（４１）の下端部に取り付けられている。
【００３３】
図９はキャスタ取付部材（７）を示す図であって、（ａ）は正面図、（ｂ）は右側面図、（ｃ）は底面図である。
キャスタ取付部材（７）は、長さ方向に沿って所定間隔で複数個の貫通穴（７ａ）が形成されている。これらの貫通穴（７ａ）を、脚部本体（４１）に形成された貫通穴（４１ｂ）と重ねて、ボルトを挿通してナットを螺合することにより、脚部本体（４１）に対してキャスタ取付部材（７）が固定される。キャスタ取付部材（７）の底板部（７１）には、後述する第一キャスタ部（４３１）の取付プレート（４３１ａ）がボルトにより固定される。
【００３４】
図１０は第一キャスタ部（４３１）を示す正面図である。
第一キャスタ部（４３１）は、キャスタ取付部材（７）に対して固定される取付プレート（４３１ａ）と、この取付プレート（４３１ａ）の下方に取り付けられた車輪（４３１ｂ）とから構成されている。
車輪（４３１ｂ）は、脚部本体（４１）の長さ方向に延びる軸（Ｚ）回りに回転可能に構成されている。これにより、車輪（４３１ｂ）の向きを３６０°自在に変更することができる。
車輪（４３１ｂ）の中心は軸（Ｚ）に対して偏心している。（図１０の符号（Ｅ）が偏心量を示している。）偏心方向は、屋根部（５）の幅方向中心に向かう（内方向に向かう）方向である。
【００３５】
第二キャスタ部（４３２）は、キャスタ取付板（８）を介して脚部本体（４１）の外側面に取り付けられている。
図１１はキャスタ取付板（８）を示す図であって、（ａ）は正面図、（ｂ）は右側面図である。
キャスタ取付板（８）は、複数個の貫通穴（８ａ）（８ｂ）が形成されている。
大径の貫通穴（８ａ）を、脚部本体（４１）に形成された貫通穴（４１ｂ）と重ねて、ボルトを挿通してナットを螺合することにより、脚部本体（４１）に対してキャスタ取付板（８）が固定される。
小径の貫通穴（８ｂ）は第二キャスタ部（４３２）を取り付けるための穴である。第二キャスタ部（４３２）は、図示しないが、第一キャスタ部（４３１）と同様に取付プレートと、この取付プレートの下方に取り付けられた車輪とから構成されており、当該取付プレートがキャスタ取付板（８）に対してボルトで固定される。
第二キャスタ部（４３２）の車輪の向きは、第一キャスタ部（４３１）とは異なり一方向に固定されている（軸回りに回転しない）。具体的には、脚部（４）を折り畳む時に内方向に向けて、脚部（４）を拡げる（立てる）時に外方向に向けて、それぞれ転動可能な方向を向いて向きが固定されている。
【００３６】
本発明に係る移動倉庫を折り畳む際には、第二取付部（４２２ｂ）の貫通穴（４２ｂ）に挿通されたボルト（Ｂ２）を取り外してから、開口部（５１１）にフォークリフトのフォークを挿入して、脚部（４）を地面から少し浮かせる。
すると、第一キャスタ部（４３１）の車輪（４３１ｂ）の中心が軸（Ｚ）に対して偏心しているため、車輪（４３１ｂ）が図１の状態から軸（Ｚ）回りに９０°回転する。
この状態で、フォークリフトのフォークを少しずつ下降させていくと、車輪（４３１ｂ）が内方向に向けて転動して、脚部（４）が、第一取付部（４２２ａ）の貫通穴（４２ａ）に挿通されたボルト（Ｂ１）を支点として内方に回動する。
すると、第二キャスタ部（４３２）の車輪が接地して内方向に転動することにより、脚部（４）が貫通穴（４２ａ）に挿通されたボルト（Ｂ１）を支点として更に内方に回動し、最終的には図１２に示すように左右の脚部（４）が完全に折り畳まれた状態（脚部（４）が地面に平行な状態）となる。
【００３７】
このように、連結部材（４２）の第二取付部（４２２ｂ）を下部フレーム（５１）に対して外して第一取付部（４２２ａ）を支点として回動させることにより、脚部（４）を容易に内方に折り畳むことができる。また、第一キャスタ部（４３１）が軸（Ｚ）回りに回転可能であるため、脚部（４）を折り畳む際に第一キャスタ部（４３１）が向きを変えて、折り畳み動作に追従して転動することができる、そのため、折り畳み動作を円滑に且つ迅速に行うことが可能となる。
【００３８】
左右の脚部（４）が完全に折り畳まれた状態においては、図１２に示すように、第二キャスタ部（４３２）だけでなく外方分岐部（第二取付部（４２２ｂ））も接地する。
これにより、移動倉庫は、幅方向の内側と外側とで支持されるようになるから、大型の移動倉庫であっても安定した状態での保管や運搬が可能となる。
【００３９】
脚部（４）を拡げる（立てる）場合には、開口部（５１１）にフォークリフトのフォークを挿入して上昇させていくと、第二キャスタ部（４３２）の車輪が外向きに転動し、脚部（４）が左右に拡がっていく。脚部（４）が完全に拡がった状態（立った状態）になった後、第二取付部（４２２ｂ）の貫通穴（４２ｂ）にボルト（Ｂ）を挿通してナットを螺合することにより、脚部（３）を立てた状態で第一取付部（４２２ａ）と第二取付部（４２２ｂ）の両方で支持固定することができる。
そのため、安定した支持が可能となって従来必要であった方杖が不要となり、有効に使用できる内部空間を広く確保することができる。そのため、トラック等の大型車両が容易に入れるようになり、荷物の積み下ろしの作業性を向上させることが可能となる。
【００４０】
尚、本発明に係る移動倉庫において、屋根部（５）の形状は特に限定されず、図１に示すような切妻型の他に、図１３に示すようなドーム型、図１４に示すような片流れ型等の形状を採用することもできる。
【００４１】
本発明に係る移動倉庫は、第二取付部（４２２ｂ）の下部フレーム（５１）に対する着脱を切換可能であって、第二取付部（４２２ｂ）から離れた下方位置において操作可能である、ロック切換手段を有していることが好ましい。
このようなロック切換手段を有していると、脚部（４）を折り畳む時や立てる時に、上述した第二取付部（４２２ｂ）の貫通穴（４２ｂ）に対するボルト（Ｂ２）の挿脱作業を、作業者が梯子に上るなどして高位置で行う必要がなくなる。そのため、脚部（４）を折り畳む時や立てる時の作業性が非常に向上し、しかも作業を安全に行うことが可能となる。
【００４２】
図１５及び図１６はロック切換手段の一例を示す図であって、図１５は全体構成を示す斜視図、図１６（ａ）は図１５の上部楕円内の拡大正面図と拡大側面図、図１６（ｂ）は図１５の下部楕円内を矢印方向から見た拡大正面図である。
ロック切換手段は、下部フレーム（５１）に固定された保持プレート（６）に設けられた貫通穴（６１ｂ）及び貫通穴（４２ｂ）に対して挿脱される左右一対のコの字状のロック部材（９）と、ロック部材（９）の下端部をピン（１８）を支点として回動させて貫通穴（６１ｂ）及び貫通穴（４２ｂ）への挿入方向（黒矢印方向）に付勢する付勢手段としての左右一対のバネ（１０）と、ロック部材（９）に一端が固定されておりロック部材（９）を付勢手段（バネ）（１０）の付勢力に抗して貫通穴（６１ｂ）及び貫通穴（４２ｂ）からの抜脱方向（白矢印方向）に牽引するための線材（ワイヤ）（１１）と、線材（１１）に前記牽引力を付与するためのラチェット機構（１２）とから構成されている。
【００４３】
ラチェット機構（１２）は、線材（１１）の他端が固定されて該線材を介して伝達される前記付勢力により正方向（時計回り方向）への回転力が加えられる爪車（１３）と、爪車（１３）を逆方向（反時計回り方向）に回転する力を加えるためのハンドル（１４）と、爪車（１３）の正方向への回転を阻止するが逆方向への回転は許容する爪部材（１５）とから構成されている。尚、図示を省略しているが、爪車（１３）と爪部材（１５）は公知のラチェット機構と同様であり、爪車（１３）は全周に亘ってラチェット爪が形成されており、爪部材（１５）はバネによって爪車（１３）に噛み合う方向に付勢されている。
【００４４】
これにより、作業者がハンドル（１４）を操作して爪車（１３）を逆方向に回転して線材（１１）に牽引力を付与することにより、ロック部材（９）を貫通穴（６１ｂ）及び貫通穴（４２ｂ）から抜脱することができ、これにより脚部（４）を折り畳むことが可能となるため、脚部（４）の折り畳み作業を容易に行うことができる。また、ロック部材（９）は穴（貫通穴（６１ｂ）及び貫通穴（４２ｂ））への挿入方向に付勢されているため、作業者がハンドル（１４）を操作しない限り、脚部（４）を折り畳むことができない。そのため、作業者が意図しない状態で脚部（４）が折り畳まれることがなく安全である。
【００４５】
脚部（４）は、上述した如く、屋根部（５）の幅方向両端部において、屋根部（５）の前後方向に所定間隔をあけて複数本が配置されている。
本発明においては、前端に配置された脚部（４）の下端部と、後端に配置された脚部（４）の下端部に、互いに噛み合うことができる連結部材（１６）（１７）をそれぞれ設けることが好ましい。具体的には、前端に配置された脚部（４）の下端部に雄連結部材（１６）を設け、後端に配置された脚部（４）の下端部に雌連結部材（１７）を設けることが好ましい。また、全ての脚部（４）について、前方側に雄連結部材（１６）を設け、後方側に雌連結部材（１７）を設けることがより好ましい。
【００４６】
図１７は連結部材（１６）（１７）の構成を示す図であって、（ａ）は連結部材をキャスタ取付部材（７）に取り付けた状態の斜視図、（ｂ）は連結部材をキャスタ取付部材（７）に取り付けた状態の平面図、（ｃ）は連結部材をキャスタ取付部材（７）に取り付けた状態の側面図である。
連結部材（１６）（１７）は、いずれもキャスタ取付部材（７）に取り付けられる。
雄連結部材（１６）の幅狭の突出部（１６１）が、雌連結部材（１７）の幅広の収容部（１７１）内に挿入されることにより、雄連結部材（１６）と雌連結部材（１７）とが互いに連結される。
【００４７】
このように、隣り合う脚部（４）の雄連結部材（１６）と雌連結部材（１７）とを連結することにより、複数の移動倉庫を前後方向に連結した場合において、全ての脚部（４）の折り畳みを連動させることができる。そのため、脚部（４）の折り畳み作業を迅速に行うことができて作業性に優れ、バランスを崩して倒れるおそれもなく安全である。
尚、前後方向に隣り合う脚部（４）は上部においても互いに連結される。しかし、上部のみを連結すると、脚部（４）の折り畳み時において上部の連結部分に過剰な負荷が加わって破損するおそれがある。上部に加えて下部も連結部材（１６）（１７）を用いて連結することにより、上部の連結部分に過剰な負荷が加わることが防がれる。
【産業上の利用可能性】
【００４８】
本発明は、例えば、被災地において食品や衣料等の大量の救援物資を一時的に保管するための仮設倉庫として好適に利用される。本発明の公共的な利用の可能性としては、（１）自然災害、大規模事故等緊急時の被災地の救援活動、支援活動における仮設連絡事務所、被災者の緊急診療所、救援活動者の待機所、機材保管簡易倉庫、救援物資の保管倉庫等、（２）自治体運営における各種イベント場、（３）運営本部事務所、野外ステージ、バザー等仮設店舗等が挙げられる。また、産業上の利用可能性として、（１）製品、商品の保管、（２）荷捌き場、（３）作業機械、材料等の保管、（４）工事現場、作業場の保護、（５）塗装ブース、（６）展示場、（７）建物と建物間の通路の保護等、その他、多岐にわたる利用可能性がある。
【符号の説明】
【００４９】
１      単位構造体
２      連結体
３      屋根部構造体
４      脚部
４１    脚部本体
４２    連結部材
４３    キャスタ部
４３１  第一キャスタ部
４３２  第二キャスタ部
５      屋根部
５１    下部フレーム
５２    上部フレーム
５３    連結フレーム
６      保持プレート
７      キャスタ取付部材
８      キャスタ取付板
９      ロック部材
１０    付勢手段（バネ）
１１    線材（ワイヤ）
１２    ラチェット機構
１３    爪車
１４    ハンドル
１５    爪部材
【要約】
【課題】広い内部空間を確保し、脚の折り畳みや脚を立てる作業を円滑に且つ安全に行うことができ、脚を折り畳んだ状態での安定性に優れ、組立や撤去を容易に且つ短期間で行える折り畳み式移動倉庫の提供。
【解決手段】屋根部と、屋根部を支持する脚部とを備え、屋根部は、屋根部両縁部に亘って延びる下部フレームと、上面に屋根幕が張設される上部フレームとを有し、脚部は、脚部本体と、その上部に設けられ下部フレームに対して連結される連結部材と、脚部本体の下部に設けられたキャスタ部とを有し、連結部材は、脚部本体の長さ方向に延びる基部と、基部の上端から左右に分岐して下部フレームの長さ方向に沿う取付部とからなり、取付部は、屋根部の幅方向中心に向けて延びて脚部の折り畳み時に回動支点となる第一取付部と、屋根部の幅方向端部に向けて延びて脚部の折り畳み時に脚部から脱離する第二取付部とからなる。
【選択図】図１【図１】
0005403722.tif 000002
【図２】
0005403722.tif 000003
【図３】
0005403722.tif 000004
【図４】
0005403722.tif 000005
【図５】
0005403722.tif 000006
【図６】
0005403722.tif 000007
【図７】
0005403722.tif 000008
【図８】
0005403722.tif 000009
【図９】
0005403722.tif 000010
【図１０】
0005403722.tif 000011
【図１１】
0005403722.tif 000012
【図１２】
0005403722.tif 000013
【図１３】
0005403722.tif 000014
【図１４】
0005403722.tif 000015
【図１５】
0005403722.tif 000016
【図１６】
0005403722.tif 000017
【図１７】
0005403722.tif 000018